【手続補正書】
【提出日】平成22年6月29日(2010.6.29)
【手続補正１】
【補正対象書類名】特許請求の範囲
【補正対象項目名】全文
【補正方法】変更
【補正の内容】
【特許請求の範囲】
【請求項１】
三原色及び白の４色の複数の画素が交互にマトリックス状に配列させて形成され、互いに隣合う前記三原色及び白の各色１つずつの４つの画素を１単位とする複数の表示要素によりカラー画像を表示する液晶表示素子の駆動方法において、
入力された三原色の階調データに基づいて、
前記三原色及び白の４色の画素それぞれの最大階調輝度に対するこれらの画素を駆動するための駆動階調データに対応する輝度の割合を輝度率、
前記複数の表示要素毎の前記三原色の画素相互の前記輝度率の差の絶対値のうちの最大値を最大輝度率差とするとき、
前記複数の表示要素毎の前記三原色及び白の４色の画素の前記輝度率がそれぞれ、前記三原色の画素それぞれの前記輝度率に、前記白色画素の特性に応じて予め定めた任意の値の設定輝度率の前記最大輝度率差に相当する階調数以外の階調数に対応する割合の輝度率を加算し、その加算値から前記白色画素の前記輝度率を差し引いた値になるように、前記複数の表示要素毎の三原色及び白の４色の駆動階調データを設定し、これらの駆動階調データにそれぞれ対応した前記４色のデータ信号を前記複数の表示要素の三原色及び白の４色の画素にそれぞれ供給することを特徴とする液晶表示素子の駆動方法。
【請求項２】
赤、緑、青及び白の４色の複数の画素が交互にマトリックス状に配列させて形成され、互いに隣合う前記赤、緑、青及び白の各色１つずつの４つの画素を１単位とする複数の表示要素によりカラー画像を表示する液晶表示素子の駆動方法において、
入力された赤、緑、青の３色の階調データに基づいて、
前記赤、緑、青及び白の４色の画素それぞれの最大階調輝度をＬｍａｘＲ，ＬｍａｘＧ，ＬｍａｘＢ，ＬｍａｘＷ、
前記赤、緑、青の３色の画素それぞれの前記入力された赤、緑、青の３色の階調データに対応する輝度を入力データ対応輝度ＬＲ，ＬＧ，ＬＢ、
前記赤、緑、青の３色の画素それぞれの前記最大階調輝度ＬｍａｘＲ，ＬｍａｘＧ，ＬｍａｘＢに対する前記入力データ対応輝度ＬＲ，ＬＧ，ＬＢの割合ＬＲ／ＬｍａｘＲ，ＬＧ／ＬｍａｘＧ，ＬＢ／ＬｍａｘＢをそれぞれ入力データ対応輝度率ＲＲ，ＲＧ，ＲＢ、
前記複数の表示要素毎の前記赤、緑、青の３色の画素相互の前記入力データ対応輝度率ＲＲ，ＲＧ，ＲＢの差の絶対値｜ＲＲ−ＲＧ｜，｜ＲＧ−ＲＢ｜，｜ＲＢ−ＲＲ｜のうちの最大値を最大輝度率差dｍａｘ、
前記赤、緑、青及び白の４色の画素それぞれのこれらの画素を駆動するための駆動階調データに対応する輝度を駆動データ対応輝度Ｌ′Ｒ，Ｌ′Ｇ，Ｌ′Ｂ，Ｌ′Ｗ、
前記赤、緑、青及び白の４色の画素それぞれの前記最大階調輝度ＬｍａｘＲ，ＬｍａｘＧ，ＬｍａｘＢ，ＬｍａｘＷに対する前記駆動データ対応輝度Ｌ′Ｒ，Ｌ′Ｇ，Ｌ′Ｂ，Ｌ′Ｗの割合Ｌ′Ｒ／ＬｍａｘＲ，Ｌ′Ｇ／ＬｍａｘＧ，Ｌ′Ｂ／ＬｍａｘＢ，Ｌ′Ｗ／ＬｍａｘＷをそれぞれ駆動データ対応輝度率Ｒ′Ｒ，Ｒ′Ｇ，Ｒ′Ｂ，Ｒ′Ｗとするとき、
前記駆動データ対応輝度率Ｒ′Ｒ，Ｒ′Ｇ，Ｒ′Ｂ，Ｒ′Ｗが、
Ｒ′Ｒ＝ＲＲ{１＋ｔ（１−dｍａｘ）}−Ｒ′Ｗ・ＬｍａｘＷ／（ＬｍａｘＲ＋ＬｍａｘＧ＋ＬｍａｘＢ）
Ｒ′Ｇ＝ＲＧ{１＋ｔ（１−dｍａｘ）}−Ｒ′Ｗ・ＬｍａｘＷ／（ＬｍａｘＲ＋ＬｍａｘＧ＋ＬｍａｘＢ）
Ｒ′Ｂ＝ＲＢ{１＋ｔ（１−dｍａｘ）}−Ｒ′Ｗ・ＬｍａｘＷ／（ＬｍａｘＲ＋ＬｍａｘＧ＋ＬｍａｘＢ）
ただし、tは、０以上、ＬｍａｘＷ／（ＬｍａｘＷ＋ＬｍａｘＧ＋ＬｍａｘＢ）以下の範囲の予め定めた任意の値、
を満足する階調値に設定された前記複数の表示要素毎の赤、緑、青及び白の４色の駆動階調データを生成し、これらの駆動階調データにそれぞれ対応した前記４色のデータ信号を前記複数の表示要素の赤、緑、青及び白の４色の画素にそれぞれ供給することを特徴とする液晶表示素子の駆動方法。
【請求項３】
前記液晶表示素子は、赤、緑、青及び白の４色の画素それぞれの輝度がこれらの画素を駆動するための駆動階調データの階調値に比例し、且つ白色画素の最大階調輝度ＬｍａｘＷが、赤、緑、青の３色の画素それぞれの最大階調輝度ＬｍａｘＲ，ＬｍａｘＧ，ＬｍａｘＢの和と等しい特性を有しており、
複数の表示要素毎の赤、緑、青及び白の４色の駆動階調データは、
入力された赤、緑、青の３色の階調データの階調値をＤＲ，ＤＧ，ＤＢ、前記赤、緑、青及び白の４色の駆動階調データの階調値をＤ′Ｒ，Ｄ′Ｇ，Ｄ′Ｂ，Ｄ′Ｗとするとき、
Ｄ′ＲはＤＲ{１＋ｔ（１−dｍａｘ）}−Ｃを整数化した値
Ｄ′ＧはＤＧ{１＋ｔ（１−dｍａｘ）}−Ｃを整数化した値
Ｄ′ＢはＤＢ{１＋ｔ（１−dｍａｘ）}−Ｃを整数化した値
Ｄ′ＷはＣを整数化した値
ただし、ｔ＝１、Ｃは、ＤＲ{１＋ｔ（１−dｍａｘ）}，ＤＧ{１＋ｔ（１−dｍａｘ）}，ＤＢ{１＋ｔ（１−dｍａｘ）}のうちの最も小さい値をＤｍｉｎとするとき、前記Ｄｍｉｎが最大階調未満の場合はそのＤｍｉｎを整数化した値、前記Ｄｍｉｎが前記最大階調以上の場合は前記最大階調の値とする、
の諧調値にそれぞれ設定されることを特徴とする請求項２に記載の液晶表示素子の駆動方法。
【請求項４】
前記液晶表示素子は、赤、緑、青及び白の４色の画素それぞれの輝度がこれらの画素を駆動するための駆動階調データの階調値に比例し、且つ白色画素の最大階調輝度ＬｍａｘＷが、赤、緑、青の３色の画素それぞれの最大階調輝度ＬｍａｘＲ，ＬｍａｘＧ，ＬｍａｘＢの和と異なる特性を有しており、
複数の表示要素毎の赤、緑、青及び白の４色の駆動階調データは、
入力された赤、緑、青の３色の階調データの階調値をＤＲ，ＤＧ，ＤＢ、前記赤、緑、青及び白の４色の駆動階調データの階調値をＤ′Ｒ，Ｄ′Ｇ，Ｄ′Ｂ，Ｄ′Ｗとするとき、
Ｄ′ＲはＤＲ{１＋ｔ（１−dｍａｘ）}−Ｃ′・ＬｍａｘＷ／（ＬｍａｘＲ＋ＬｍａｘＧ＋ＬｍａｘＢ）を整数化した値
Ｄ′ＧはＤＧ{１＋ｔ（１−dｍａｘ）}−Ｃ′・ＬｍａｘＷ／（ＬｍａｘＲ＋ＬｍａｘＧ＋ＬｍａｘＢ）を整数化した値
Ｄ′ＢはＤＢ{１＋ｔ（１−dｍａｘ）}−Ｃ′・ＬｍａｘＷ／（ＬｍａｘＲ＋ＬｍａｘＧ＋ＬｍａｘＢ）を整数化した値
Ｄ′ＷはＣ′を整数化した値
ただし、ｔ＝１、Ｃ′は、ＤＲ{１＋ｔ（１−dｍａｘ）}（ＬｍａｘＲ＋ＬｍａｘＧ＋ＬｍａｘＢ）／ＬｍａｘＷ，ＤＧ{１＋ｔ（１−dｍａｘ）}（ＬｍａｘＲ＋ＬｍａｘＧ＋ＬｍａｘＢ）／ＬｍａｘＷ，ＤＢ{１＋ｔ（１−dｍａｘ）}（ＬｍａｘＲ＋ＬｍａｘＧ＋ＬｍａｘＢ）／ＬｍａｘＷのうちの最も小さい値をＤ′ｍｉｎとするとき、前記Ｄ′ｍｉｎが最大階調未満の場合はそのＤ′ｍｉｎを整数化した値、前記Ｄ′ｍｉｎが前記最大階調以上の場合は最大階調の値とする、
の諧調値にそれぞれ設定されることを特徴とする請求項２に記載の液晶表示素子の駆動方法。
【請求項５】
前記液晶表示素子は、赤、緑、青及び白の４色の画素それぞれの輝度がこれらの画素を駆動するための駆動階調データの階調値の比例以外の関数で表され、且つ白色画素の最大階調輝度ＬｍａｘＷが、赤、緑、青の３色の画素それぞれの最大階調輝度ＬｍａｘＲ，ＬｍａｘＧ，ＬｍａｘＢの和と等しい特性を有しており、
複数の表示要素毎の赤、緑、青及び白の４色の駆動階調データは、
入力された赤、緑、青の３色の階調データをＤＲ，ＤＧ，ＤＢ、前記赤、緑、青及び白の４色の駆動階調データをＤ′Ｒ，Ｄ′Ｇ，Ｄ′Ｂ，Ｄ′Ｗとするとき、
前記赤、緑、青の３色の階調データＤＲ，ＤＧ，ＤＢをそれぞれ輝度ＬＲ，ＬＧ，ＬＢに変換し、
Ｌ′Ｒ／ＬｍａｘＲ＝ＬＲ{１＋ｔ（１−dｍａｘ）}／ＬｍａｘＲ−Ｃ″・ＬｍａｘＷ／（ＬｍａｘＲ＋ＬｍａｘＧ＋ＬｍａｘＢ）
Ｌ′Ｇ／ＬｍａｘＧ＝ＬＧ{１＋ｔ（１−dｍａｘ）}／ＬｍａｘＧ−Ｃ″・ＬｍａｘＷ／（ＬｍａｘＲ＋ＬｍａｘＧ＋ＬｍａｘＢ）
Ｌ′Ｂ／ＬｍａｘＢ＝ＬＢ{１＋ｔ（１−dｍａｘ）}／ＬｍａｘＢ−Ｃ″・ＬｍａｘＷ／（ＬｍａｘＲ＋ＬｍａｘＧ＋ＬｍａｘＢ）
Ｌ′Ｗ／ＬｍａｘＷ＝Ｃ″
ただし、ｔ＝１、Ｃ″は、ＬＲ{１＋ｔ（１−dｍａｘ）}（ＬｍａｘＲ＋ＬｍａｘＧ＋ＬｍａｘＢ）／ＬｍａｘＲ・ＬｍａｘＷ，ＬＧ{１＋ｔ（１−dｍａｘ）}（ＬｍａｘＲ＋ＬｍａｘＧ＋ＬｍａｘＢ）／ＬｍａｘＧ・ＬｍａｘＷ，ＬＢ{１＋ｔ（１−dｍａｘ）}（ＬｍａｘＲ＋ＬｍａｘＧ＋ＬｍａｘＢ）／ＬｍａｘＢ・ＬｍａｘＷのうちの最も小さい値をＤ″ｍｉｎとするとき、前記Ｄ″ｍｉｎが１以下の場合はそのＤ″ｍｉｎを整数化した値、前記Ｄ″ｍｉｎが１より大きい場合は１とする、
の各式により前記赤、緑、青及び白の４色の画素それぞれの駆動データ対応輝度Ｌ′Ｒ，Ｌ′Ｇ，Ｌ′Ｂ，Ｌ′Ｗを求め、これらの駆動データ対応輝度Ｌ′Ｒ，Ｌ′Ｇ，Ｌ′Ｂ，Ｌ′Ｗを階調値に逆変換した値の諧調値にそれぞれ設定されることを特徴とする請求項２に記載の液晶表示素子の駆動方法。
【手続補正２】
【補正対象書類名】明細書
【補正対象項目名】００１０
【補正方法】変更
【補正の内容】
【００１０】
この発明は、三原色及び白の４色の画素により１つの表示要素を構成した液晶表示素子を、色再現性を良く表示させることができる駆動方法を提供することを目的としたものである。
【手続補正３】
【補正対象書類名】明細書
【補正対象項目名】００１１
【補正方法】変更
【補正の内容】
【００１１】
この発明の請求項１に記載の液晶表示素子の駆動方法は、
三原色及び白の４色の複数の画素が交互にマトリックス状に配列させて形成され、互いに隣合う前記三原色及び白の各色１つずつの４つの画素を１単位とする複数の表示要素によりカラー画像を表示する液晶表示素子の駆動方法において、
入力された三原色の階調データに基づいて、
前記三原色及び白の４色の画素それぞれの最大階調輝度に対するこれらの画素を駆動するための駆動階調データに対応する輝度の割合を輝度率、
前記複数の表示要素毎の前記三原色の画素相互の前記輝度率の差の絶対値のうちの最大値を最大輝度率差とするとき、
前記複数の表示要素毎の前記三原色及び白の４色の画素の前記輝度率がそれぞれ、前記三原色の画素それぞれの前記輝度率に、前記白色画素の特性に応じて予め定めた任意の値の設定輝度率の前記最大輝度率差に相当する階調数以外の階調数に対応する割合の輝度率を加算し、その加算値から前記白色画素の前記輝度率を差し引いた値になるように、前記複数の表示要素毎の三原色及び白の４色の駆動階調データを設定し、これらの駆動階調データにそれぞれ対応した前記４色のデータ信号を前記複数の表示要素の三原色及び白の４色の画素にそれぞれ供給することを特徴とする。
【手続補正４】
【補正対象書類名】明細書
【補正対象項目名】００１２
【補正方法】変更
【補正の内容】
【００１２】
この発明の請求項２に記載の液晶表示素子の駆動方法は、
赤、緑、青及び白の４色の複数の画素が交互にマトリックス状に配列させて形成され、互いに隣合う前記赤、緑、青及び白の各色１つずつの４つの画素を１単位とする複数の表示要素によりカラー画像を表示する液晶表示素子の駆動方法において、
入力された赤、緑、青の３色の階調データに基づいて、
前記赤、緑、青及び白の４色の画素それぞれの最大階調輝度をＬｍａｘＲ，ＬｍａｘＧ，ＬｍａｘＢ，ＬｍａｘＷ、
前記赤、緑、青の３色の画素それぞれの前記入力された赤、緑、青の３色の階調データに対応する輝度を入力データ対応輝度ＬＲ，ＬＧ，ＬＢ、
前記赤、緑、青の３色の画素それぞれの前記最大階調輝度ＬｍａｘＲ，ＬｍａｘＧ，ＬｍａｘＢに対する前記入力データ対応輝度ＬＲ，ＬＧ，ＬＢの割合ＬＲ／ＬｍａｘＲ，ＬＧ／ＬｍａｘＧ，ＬＢ／ＬｍａｘＢをそれぞれ入力データ対応輝度率ＲＲ，ＲＧ，ＲＢ、
前記複数の表示要素毎の前記赤、緑、青の３色の画素相互の前記入力データ対応輝度率ＲＲ，ＲＧ，ＲＢの差の絶対値｜ＲＲ−ＲＧ｜，｜ＲＧ−ＲＢ｜，｜ＲＢ−ＲＲ｜のうちの最大値を最大輝度率差dｍａｘ、
前記赤、緑、青及び白の４色の画素それぞれのこれらの画素を駆動するための駆動階調データに対応する輝度を駆動データ対応輝度Ｌ′Ｒ，Ｌ′Ｇ，Ｌ′Ｂ，Ｌ′Ｗ、
前記赤、緑、青及び白の４色の画素それぞれの前記最大階調輝度ＬｍａｘＲ，ＬｍａｘＧ，ＬｍａｘＢ，ＬｍａｘＷに対する前記駆動データ対応輝度Ｌ′Ｒ，Ｌ′Ｇ，Ｌ′Ｂ，Ｌ′Ｗの割合Ｌ′Ｒ／ＬｍａｘＲ，Ｌ′Ｇ／ＬｍａｘＧ，Ｌ′Ｂ／ＬｍａｘＢ，Ｌ′Ｗ／ＬｍａｘＷをそれぞれ駆動データ対応輝度率Ｒ′Ｒ，Ｒ′Ｇ，Ｒ′Ｂ，Ｒ′Ｗとするとき、
前記駆動データ対応輝度率Ｒ′Ｒ，Ｒ′Ｇ，Ｒ′Ｂ，Ｒ′Ｗが、
Ｒ′Ｒ＝ＲＲ{１＋ｔ（１−dｍａｘ）}−Ｒ′Ｗ・ＬｍａｘＷ／（ＬｍａｘＲ＋ＬｍａｘＧ＋ＬｍａｘＢ）
Ｒ′Ｇ＝ＲＧ{１＋ｔ（１−dｍａｘ）}−Ｒ′Ｗ・ＬｍａｘＷ／（ＬｍａｘＲ＋ＬｍａｘＧ＋ＬｍａｘＢ）
Ｒ′Ｂ＝ＲＢ{１＋ｔ（１−dｍａｘ）}−Ｒ′Ｗ・ＬｍａｘＷ／（ＬｍａｘＲ＋ＬｍａｘＧ＋ＬｍａｘＢ）
ただし、tは、０以上、ＬｍａｘＷ／（ＬｍａｘＷ＋ＬｍａｘＧ＋ＬｍａｘＢ）以下の範囲の予め定めた任意の値、
を満足する階調値に設定された前記複数の表示要素毎の赤、緑、青及び白の４色の駆動階調データを生成し、これらの駆動階調データにそれぞれ対応した前記４色のデータ信号を前記複数の表示要素の赤、緑、青及び白の４色の画素にそれぞれ供給することを特徴とする。
【手続補正５】
【補正対象書類名】明細書
【補正対象項目名】００１３
【補正方法】変更
【補正の内容】
【００１３】
請求項３に記載の発明は、前記請求項２に記載の液晶表示素子の駆動方法において、
前記液晶表示素子は、赤、緑、青及び白の４色の画素それぞれの輝度がこれらの画素を駆動するための駆動階調データの階調値に比例し、且つ白色画素の最大階調輝度ＬｍａｘＷが、赤、緑、青の３色の画素それぞれの最大階調輝度ＬｍａｘＲ，ＬｍａｘＧ，ＬｍａｘＢの和と等しい特性を有しており、
複数の表示要素毎の赤、緑、青及び白の４色の駆動階調データは、
入力された赤、緑、青の３色の階調データの階調値をＤＲ，ＤＧ，ＤＢ、前記赤、緑、青及び白の４色の駆動階調データの階調値をＤ′Ｒ，Ｄ′Ｇ，Ｄ′Ｂ，Ｄ′Ｗとするとき、
Ｄ′ＲはＤＲ{１＋ｔ（１−dｍａｘ）}−Ｃを整数化した値
Ｄ′ＧはＤＧ{１＋ｔ（１−dｍａｘ）}−Ｃを整数化した値
Ｄ′ＢはＤＢ{１＋ｔ（１−dｍａｘ）}−Ｃを整数化した値
Ｄ′ＷはＣを整数化した値
ただし、ｔ＝１、Ｃは、ＤＲ{１＋ｔ（１−dｍａｘ）}，ＤＧ{１＋ｔ（１−dｍａｘ）}，ＤＢ{１＋ｔ（１−dｍａｘ）}のうちの最も小さい値をＤｍｉｎとするとき、前記Ｄｍｉｎが最大階調未満の場合はそのＤｍｉｎを整数化した値、前記Ｄｍｉｎが前記最大階調以上の場合は前記最大階調の値とする、
の諧調値にそれぞれ設定されることを特徴とする。
【手続補正６】
【補正対象書類名】明細書
【補正対象項目名】００１５
【補正方法】変更
【補正の内容】
【００１５】
請求項５に記載の発明は、前記請求項２に記載の液晶表示素子の駆動方法において、
前記液晶表示素子は、赤、緑、青及び白の４色の画素それぞれの輝度がこれらの画素を駆動するための駆動階調データの階調値の比例以外の関数で表され、且つ白色画素の最大階調輝度ＬｍａｘＷが、赤、緑、青の３色の画素それぞれの最大階調輝度ＬｍａｘＲ，ＬｍａｘＧ，ＬｍａｘＢの和と等しい特性を有しており、
複数の表示要素毎の赤、緑、青及び白の４色の駆動階調データは、
入力された赤、緑、青の３色の階調データをＤＲ，ＤＧ，ＤＢ、前記赤、緑、青及び白の４色の駆動階調データをＤ′Ｒ，Ｄ′Ｇ，Ｄ′Ｂ，Ｄ′Ｗとするとき、
前記赤、緑、青の３色の階調データＤＲ，ＤＧ，ＤＢをそれぞれ輝度ＬＲ，ＬＧ，ＬＢに変換し、
Ｌ′Ｒ／ＬｍａｘＲ＝ＬＲ{１＋ｔ（１−dｍａｘ）}／ＬｍａｘＲ−Ｃ″・ＬｍａｘＷ／（ＬｍａｘＲ＋ＬｍａｘＧ＋ＬｍａｘＢ）
Ｌ′Ｇ／ＬｍａｘＧ＝ＬＧ{１＋ｔ（１−dｍａｘ）}／ＬｍａｘＧ−Ｃ″・ＬｍａｘＷ／（ＬｍａｘＲ＋ＬｍａｘＧ＋ＬｍａｘＢ）
Ｌ′Ｂ／ＬｍａｘＢ＝ＬＢ{１＋ｔ（１−dｍａｘ）}／ＬｍａｘＢ−Ｃ″・ＬｍａｘＷ／（ＬｍａｘＲ＋ＬｍａｘＧ＋ＬｍａｘＢ）
Ｌ′Ｗ／ＬｍａｘＷ＝Ｃ″
ただし、ｔ＝１、Ｃ″は、ＬＲ{１＋ｔ（１−dｍａｘ）}（ＬｍａｘＲ＋ＬｍａｘＧ＋ＬｍａｘＢ）／ＬｍａｘＲ・ＬｍａｘＷ，ＬＧ{１＋ｔ（１−dｍａｘ）}（ＬｍａｘＲ＋ＬｍａｘＧ＋ＬｍａｘＢ）／ＬｍａｘＧ・ＬｍａｘＷ，ＬＢ{１＋ｔ（１−dｍａｘ）}（ＬｍａｘＲ＋ＬｍａｘＧ＋ＬｍａｘＢ）／ＬｍａｘＢ・ＬｍａｘＷのうちの最も小さい値をＤ″ｍｉｎとするとき、前記Ｄ″ｍｉｎが１以下の場合はそのＤ″ｍｉｎを整数化した値、前記Ｄ″ｍｉｎが１より大きい場合は１とする、
の各式により前記赤、緑、青及び白の４色の画素それぞれの駆動データ対応輝度Ｌ′Ｒ，Ｌ′Ｇ，Ｌ′Ｂ，Ｌ′Ｗを求め、これらの駆動データ対応輝度Ｌ′Ｒ，Ｌ′Ｇ，Ｌ′Ｂ，Ｌ′Ｗを階調値に逆変換した値の諧調値にそれぞれ設定されることを特徴とする。
【手続補正７】
【補正対象書類名】明細書
【補正対象項目名】００１７
【補正方法】変更
【補正の内容】
【００１７】
図１は液晶表示装置の構成図であり、この液晶表示装置は、加法混色における赤、緑、青の三原色及び白の４色の複数の画素１３Ｒ，１３Ｇ，１３Ｂ，１３Ｗ（図２参照）が交互にマトリックス状に配列させて形成された液晶表示素子１と、入力された前記三原色（赤、緑、青の３色）の階調データに基づいて赤、緑、青及び白の４色の階調データを生成し、４つの各画素を備えた前記液晶表示素子１を駆動する駆動手段１５と、により構成されている。
【手続補正８】
【補正対象書類名】明細書
【補正対象項目名】００１８
【補正方法】変更
【補正の内容】
【００１８】
図２は前記液晶表示素子１の一部分の断面図であり、この液晶表示素子１は、予め定めた間隙を設けて対向配置された一対の透明基板２，３と、これらの基板２，３間の間隙に封入された液晶層４と、前記一対の基板２，３の一方、例えば観察側（図において上側）とは反対側の基板２の内面に、行方向（画面の左右方向）及び列方向（画面の上下方向）にマトリックス状に配列させて形成された複数の透明な画素電極５と、他方の基板、つまり観察側の基板３の内面に、前記複数の画素電極５の配列領域に対応させて形成された一枚膜状の透明な対向電極６と、前記一対の基板２，３の外面にそれぞれ配置された一対の偏光板１１，１２とからなっている。
【手続補正９】
【補正対象書類名】明細書
【補正対象項目名】００２０
【補正方法】変更
【補正の内容】
【００２０】
この液晶表示素子１は、その観察側とは反対側に配置された図示しない面光源から照射された光の透過率を制御して画像を表示するものであり、前記複数の画素電極５と前記対向電極６とが互いに対向する領域により、前記データ信号の供給、つまり前記電極５，６間への前記データ信号に対応した電圧の印加により前記液晶層４の液晶分子の配向状態を変化させて光の透過率を制御する複数の画素１３Ｒ，１３Ｇ，１３Ｂ，１３Ｗが形成されている。
【手続補正１０】
【補正対象書類名】明細書
【補正対象項目名】００２５
【補正方法】変更
【補正の内容】
【００２５】
この液晶表示素子１は、前記液晶層４の液晶分子をツイスト配向させたＴＮまたはＳＴＮ型、液晶分子を基板２，３面に対して垂直に配向させた垂直配向型、液晶分子をツイストさせることなく基板２，３面に対して平行に配向させた水平配向型、液晶分子をベンド配向させるベンド配向型のいずれか、あるいは強誘電性または反強誘電性液晶表示素子であり、前記一対の偏光板１１，１２は、それぞれの透過軸の向きを、各画素１３Ｒ，１３Ｇ，１３Ｂ，１３Ｗの電極５，６間に電圧を印加しないときの表示が黒または白になるように設定して配置されている。
【手続補正１１】
【補正対象書類名】明細書
【補正対象項目名】００３７
【補正方法】変更
【補正の内容】
【００３７】
前記映像信号は、表示する画像に対応した同期信号と、１つの表示要素それぞれに対応した表示色を定義する赤、緑、青の３色の階調データとを含む信号であり、前記コントローラ２０に入力される。
【手続補正１２】
【補正対象書類名】明細書
【補正対象項目名】００５１
【補正方法】変更
【補正の内容】
【００５１】
また、前記赤、緑、青及び白の４色の画素１３Ｒ，１３Ｇ，１３Ｂ，１３Ｗそれぞれの前記駆動階調データに対応する輝度を駆動データ対応輝度Ｌ′Ｒ，Ｌ′Ｇ，Ｌ′Ｂ，Ｌ′Ｗ、前記赤、緑、青及び白の４色の画素１３Ｒ，１３Ｇ，１３Ｂ，１３Ｗそれぞれの前記最大階調輝度ＬｍａｘＲ，ＬｍａｘＧ，ＬｍａｘＢ，ＬｍａｘＷに対する前記駆動データ対応輝度Ｌ′Ｒ，Ｌ′Ｇ，Ｌ′Ｂ，Ｌ′Ｗの割合Ｌ′Ｒ／ＬｍａｘＲ，Ｌ′Ｇ／ＬｍａｘＧ，Ｌ′Ｂ／ＬｍａｘＢ，Ｌ′Ｗ／ＬｍａｘＷをそれぞれ駆動データ対応輝度率Ｒ′Ｒ，Ｒ′Ｇ，Ｒ′Ｂ，Ｒ′Ｗとすると、これらの駆動データ対応輝度率のうちの赤、緑、青の３色の画素１３Ｒ，１３Ｇ，１３Ｂの駆動データ対応輝度率Ｒ′Ｒ，Ｒ′Ｇ，Ｒ′Ｂはそれぞれ、前記入力データ対応輝度率ＲＲ，ＲＧ，ＲＢに、前記最大輝度率差ｄｍａｘに対応する輝度率を加算し、且つ前記白色画素１３Ｗの駆動データ対応輝度率Ｒ′Ｗを差し引いた値によって表される。
【手続補正１３】
【補正対象書類名】明細書
【補正対象項目名】００５６
【補正方法】変更
【補正の内容】
【００５６】
（第１の実施例）
この駆動方法の具体的な実施例を説明すると、例えば前記液晶表示素子１が、赤、緑、青及び白の４色の画素１３Ｒ，１３Ｇ，１３Ｂ，１３Ｗそれぞれの輝度がこれらの画素１３Ｒ，１３Ｇ，１３Ｂ，１３Ｗを駆動するための駆動階調データの階調値に比例し、且つ白色画素１３Ｗの最大階調輝度ＬｍａｘＷが、前記赤、緑、青の３色の画素１３Ｒ，１３Ｇ，１３Ｂそれぞれの最大階調輝度ＬｍａｘＲ，ＬｍａｘＧ，ＬｍａｘＢの和と等しい特性を有するように設計された素子である場合、前記複数の表示要素１４毎の赤、緑、青及び白の４色の駆動階調データは、
前記入力された赤、緑、青の３色の階調データの階調値をＤＲ，ＤＧ，ＤＢ、前記赤、緑、青及び白の４色の駆動階調データの階調値をＤ′Ｒ，Ｄ′Ｇ，Ｄ′Ｂ，Ｄ′Ｗとするとき、
Ｄ′ＲはＤＲ{１＋ｔ（１−dｍａｘ）}−Ｃを整数化した値
Ｄ′ＧはＤＧ{１＋ｔ（１−dｍａｘ）}−Ｃを整数化した値
Ｄ′ＢはＤＢ{１＋ｔ（１−dｍａｘ）}−Ｃを整数化した値
Ｄ′ＷはＣを整数化した値
ただし、ｔ＝１、Ｃは、ＤＲ{１＋ｔ（１−dｍａｘ）}，ＤＧ{１＋ｔ（１−dｍａｘ）}，ＤＢ{１＋ｔ（１−dｍａｘ）}のうちの最も小さい値をＤｍｉｎとするとき、前記Ｄｍｉｎが最大階調未満の場合はそのＤｍｉｎを整数化した値、前記Ｄｍｉｎが前記最大階調以上の場合は最大階調の値とする、
にそれぞれ設定される。
【手続補正１４】
【補正対象書類名】明細書
【補正対象項目名】００６３
【補正方法】変更
【補正の内容】
【００６３】
この実施例では、前記入力された赤、緑、青の３色の階調データの最大階調値が６３であるため、前記ＤＲ｛１＋ｔ（１−ｄｍａｘ）｝，ＤＧ｛１＋ｔ（１−ｄｍａｘ）｝，ＤＢ｛１＋ｔ（１−ｄｍａｘ）｝のうちの最も小さい値Ｄｍｉｎに対応した係数Ｃは、前記Ｄｍｉｎが６３未満である場合はＣ＝Ｄｍｉｎとし、前記Ｄｍｉｎが６３以上の場合はＣ＝６３とする。
【手続補正１５】
【補正対象書類名】明細書
【補正対象項目名】００６６
【補正方法】変更
【補正の内容】
【００６６】
そして、前記白色画素１３Ｗの特性に応じて予め定めた任意の値の設定輝度率ｔを、例えばｔ＝１とすると、
ＤＲ｛１＋ｔ（１−ｄｍａｘ）｝＝４７｛１＋１（１−３２／６３）｝＝７０．１３
ＤＧ｛１＋ｔ（１−ｄｍａｘ）｝＝２９｛１＋１（１−３２／６３）｝＝４３．２７
ＤＢ｛１＋ｔ（１−ｄｍａｘ）｝＝１５｛１＋１（１−３２／６３）｝＝２２．３８
Ｃ＝２２．３８
となる。
【手続補正１６】
【補正対象書類名】明細書
【補正対象項目名】００７０
【補正方法】変更
【補正の内容】
【００７０】
このｘ＝０．３８，ｙ＝０．３８の色度は、１つの表示要素を赤、緑、青の３色の画素により構成した３色画素表示素子における、１つの表示要素の赤、緑、青の３色の画素に、赤、緑、青の階調値がそれぞれ４７，２９，１５の３色の階調データに対応したデータ信号を供給したときの前記表示要素の表示の色度（発明が解決しようとする課題の項参照）と同じである。
【手続補正１７】
【補正対象書類名】明細書
【補正対象項目名】００７１
【補正方法】変更
【補正の内容】
【００７１】
なお、ここでは、入力された赤、緑、青の３色の階調データの階調値ＤＲ，ＤＧ，ＤＢが、ＤＲ＝４７，ＤＧ＝２９，ＤＢ＝１５のときの中間色表示について説明したが、他の中間色の表示、つまり、前記赤、緑、青の３色の階調データの階調値ＤＲ，ＤＧ，ＤＢがそれぞれ０以外の互いに異なる値であるとき、及び前記赤、緑、青の３色の階調データの階調値ＤＲ，ＤＧ，ＤＢのうちの１色の階調データの階調値が０、他の２色の階調データの階調値が０以外の互いに異なる値または同じ値であるときの中間色表示の色度も、前記３色画素表示素子の１つの表示要素を構成する赤、緑、青の３色の画素に、入力された赤、緑、青の３色の階調データに対応したデータ信号を供給したときの前記表示要素の色度と同じである。
【手続補正１８】
【補正対象書類名】明細書
【補正対象項目名】００８８
【補正方法】変更
【補正の内容】
【００８８】
さらに、上記実施例は、前記液晶表示素子１が、前記赤、緑、青及び白の４色の画素１３Ｒ，１３Ｇ，１３Ｂ，１３Ｗそれぞれの輝度がこれらの画素１３Ｒ，１３Ｇ，１３Ｂ，１３Ｗに供給された階調データの階調値に比例し、且つ前記白色画素１３Ｗの最大階調輝度ＬｍａｘＷが、前記赤、緑、青の３色の画素１３Ｒ，１３Ｇ，１３Ｂそれぞれの最大階調輝度ＬｍａｘＲ，ＬｍａｘＧ，ＬｍａｘＢの和と等しい特性を有している場合に適用するが、この発明の駆動方法は、前記液晶表示素子１が他の特性を有する場合にも適用することができる。
【手続補正１９】
【補正対象書類名】明細書
【補正対象項目名】００８９
【補正方法】変更
【補正の内容】
【００８９】
（第２の実施例）
すなわち、前記液晶表示素子１が、前記赤、緑、青及び白の４色の画素１３Ｒ，１３Ｇ，１３Ｂ，１３Ｗそれぞれの輝度がこれらの画素１３Ｒ，１３Ｇ，１３Ｂ，１３Ｗに供給された階調データの階調値に比例し、且つ前記白色画素１３Ｗの最大階調輝度ＬｍａｘＷが、前記赤、緑、青の３色の画素１３Ｒ，１３Ｇ，１３Ｂそれぞれの最大階調輝度ＬｍａｘＲ，ＬｍａｘＧ，ＬｍａｘＢの和と異なる特性を有している場合は、前記赤、緑、青及び白の４色の駆動階調データの階調値Ｄ′Ｒ，Ｄ′Ｇ，Ｄ′Ｂ，Ｄ′Ｗを、
Ｄ′ＲはＤＲ{１＋ｔ（１−dｍａｘ）}−Ｃ′・ＬｍａｘＷ／（ＬｍａｘＲ＋ＬｍａｘＧ＋ＬｍａｘＢ）を整数化した値
Ｄ′ＧはＤＧ{１＋ｔ（１−dｍａｘ）}−Ｃ′・ＬｍａｘＷ／（ＬｍａｘＲ＋ＬｍａｘＧ＋ＬｍａｘＢ）を整数化した値
Ｄ′ＢはＤＢ{１＋ｔ（１−dｍａｘ）}−Ｃ′・ＬｍａｘＷ／（ＬｍａｘＲ＋ＬｍａｘＧ＋ＬｍａｘＢ）を整数化した値
Ｄ′ＷはＣ′を整数化した値
ただし、ｔ=１、Ｃ′は、ＤＲ{１＋ｔ（１−dｍａｘ）（ＬｍａｘＲ＋ＬｍａｘＧ＋ＬｍａｘＢ）／ＬｍａｘＷ}，ＤＧ{１＋ｔ（１−dｍａｘ）}（ＬｍａｘＲ＋ＬｍａｘＧ＋ＬｍａｘＢ）／ＬｍａｘＷ，ＤＢ{１＋ｔ（１−dｍａｘ）}（ＬｍａｘＲ＋ＬｍａｘＧ＋ＬｍａｘＢ）／ＬｍａｘＷのうちの最も小さい値をＤ′ｍｉｎとするとき、前記Ｄ′ｍｉｎが最大階調未満の場合はそのＤ′ｍｉｎを整数化した値、前記Ｄ′ｍｉｎが前記最大階調以上の場合は最大階調の値とする、
を満足する諧調値にそれぞれ設定する。
【手続補正２０】
【補正対象書類名】明細書
【補正対象項目名】００９２
【補正方法】変更
【補正の内容】
【００９２】
（第３の実施例）
また、前記液晶表示素子１が、前記赤、緑、青及び白の４色の画素１３Ｒ，１３Ｇ，１３Ｂ，１３Ｗそれぞれの輝度がこれらの画素１３Ｒ，１３Ｇ，１３Ｂ，１３Ｗに供給された階調データの階調値の比例以外の関数で表され、且つ前記白色画素１３Ｗの最大階調輝度ＬｍａｘＷが、前記赤、緑、青の３色の画素１３Ｒ，１３Ｇ，１３Ｂそれぞれの最大階調輝度ＬｍａｘＲ，ＬｍａｘＧ，ＬｍａｘＢの和と等しい特性を有している場合は、前記赤、緑、青及び白の４色の駆動階調データの階調値Ｄ′Ｒ，Ｄ′Ｇ，Ｄ′Ｂ，Ｄ′Ｗを、
前記赤、緑、青の３色の階調データＤＲ，ＤＧ，ＤＢをそれぞれ輝度ＬＲ，ＬＧ，ＬＢに変換し、
Ｌ′Ｒ／ＬｍａｘＲ＝ＬＲ{１＋ｔ（１−dｍａｘ）}／ＬｍａｘＲ−Ｃ″・ＬｍａｘＷ／（ＬｍａｘＲ＋ＬｍａｘＧ＋ＬｍａｘＢ）
Ｌ′Ｇ／ＬｍａｘＧ＝ＬＧ{１＋ｔ（１−dｍａｘ）}／ＬｍａｘＧ−Ｃ″・ＬｍａｘＷ／（ＬｍａｘＲ＋ＬｍａｘＧ＋ＬｍａｘＢ）
Ｌ′Ｂ／ＬｍａｘＢ＝ＬＢ{１＋ｔ（１−dｍａｘ）}／ＬｍａｘＢ−Ｃ″・ＬｍａｘＷ／（ＬｍａｘＲ＋ＬｍａｘＧ＋ＬｍａｘＢ）
Ｌ′Ｗ／ＬｍａｘＷ＝Ｃ″
ただし、ｔ=１、Ｃ″は、ＬＲ{１＋ｔ（１−dｍａｘ）}（ＬｍａｘＲ＋ＬｍａｘＧ＋ＬｍａｘＢ）／ＬｍａｘＲ・ＬｍａｘＷ，ＬＧ{１＋ｔ（１−dｍａｘ）}（ＬｍａｘＲ＋ＬｍａｘＧ＋ＬｍａｘＢ）／ＬｍａｘＧ・ＬｍａｘＷ，ＬＢ{１＋ｔ（１−dｍａｘ）}（ＬｍａｘＲ＋ＬｍａｘＧ＋ＬｍａｘＢ）／ＬｍａｘＢ・ＬｍａｘＷのうちの最も小さい値をＤ″ｍｉｎとするとき、Ｄ″ｍｉｎが１以下の場合はその値Ｄ″ｍｉｎを整数化した値、前記Ｄ″ｍｉｎが１より大きい場合は１とする、
の各式により前記赤、緑、青及び白の４色の画素それぞれの輝度Ｌ′Ｒ，Ｌ′Ｇ，Ｌ′Ｂ，Ｌ′Ｗを求め、これらの輝度Ｌ′Ｒ，Ｌ′Ｇ，Ｌ′Ｂ，Ｌ′Ｗを階調値に逆変換した値の諧調値にそれぞれ設定する。
【手続補正２１】
【補正対象書類名】図面
【補正対象項目名】図１
【補正方法】変更
【補正の内容】
【図１】
2009086277.tif 000001
【手続補正２２】
【補正対象書類名】図面
【補正対象項目名】図２
【補正方法】変更
【補正の内容】
【図２】
2009086277.tif 000002
【手続補正２３】
【補正対象書類名】図面
【補正対象項目名】図７
【補正方法】変更
【補正の内容】
【図７】
2009086277.tif 000003